(57)【特許請求の範囲】
【請求項１】
二次元状に配列された複数の放射線検出素子を備え、放射線の照射により前記各放射線検出素子内で発生した電荷を画像データとして読み出す放射線画像撮影装置と、
撮影室内に設けられ、前記放射線画像撮影装置に放射線を照射する放射線源と、
前記撮影室内に設けられたクレードルと、
前記放射線画像撮影装置から送信された前記画像データに基づいて放射線画像を生成するコンソールと、
を備え、
前記クレードルは、
挿入された前記放射線画像撮影装置から、工場出荷時に設定された第１補正データと、前記撮影室の前記放射線源に対応して設定された第２補正データの情報を読み取って保存するとともに、
前記放射線画像撮影装置の代わりとなる代替用の放射線画像撮影装置が挿入されると、前記代替用の放射線画像撮影装置について工場出荷時に設定された第１補正データを読み取り、読み取った前記代替用の放射線画像撮影装置に関する前記第１補正データと、元の前記放射線画像撮影装置から読み取った前記第１補正データおよび前記第２補正データとに基づいて、前記撮影室の前記放射線源に対応する第２補正データを算出し、算出した前記第２補正データを前記代替用の放射線画像撮影装置に対して設定することを特徴とする放射線画像撮影システム。
【請求項２】
前記クレードルは、
前記元の放射線画像撮影装置が挿入されて前記第１補正データと前記第２補正データの情報を読み取る際に、前記元の放射線画像撮影装置から識別情報をも読み取り、前記元の放射線画像撮影装置の識別情報と、前記第１補正データおよび前記第２補正データと対応付けて保存し、
前記元の放射線画像撮影装置の代わりとなる代替用の放射線画像撮影装置が挿入され、入力手段を介して前記元の放射線画像撮影装置の識別情報が入力されると、前記代替用の放射線画像撮影装置に関する前記第１補正データと、前記識別情報で指定された前記元の放射線画像撮影装置から読み取った前記第１補正データおよび前記第２補正データとに基づいて、前記撮影室の前記放射線源に対応する第２補正データを算出して前記代替用の放射線画像撮影装置に設定することを特徴とする請求項１に記載の放射線画像撮影システム。
【請求項３】
前記放射線源を複数備え、
前記クレードルは、前記元の放射線画像撮影装置について、前記第１補正データとともに、前記複数の放射線源ごとの前記第２補正データを保存していることを特徴とする請求項１または請求項２に記載の放射線画像撮影システム。
【請求項４】
前記放射線画像撮影装置に関する前記第１補正データおよび前記第２補正データの情報を管理する管理装置を備え、
前記クレードルは、
前記元の放射線画像撮影装置の前記第１補正データおよび前記第２補正データの情報を自ら保存する代わりに、前記元の放射線画像撮影装置の代わりとなる前記代替用の放射線画像撮影装置が挿入されると前記管理装置から前記元の放射線画像撮影装置に関する前記情報を入手して、前記代替用の放射線画像撮影装置に関する前記第２補正データを算出して前記代替用の放射線画像撮影装置に対して設定することを特徴とする請求項１から請求項３のいずれか一項に記載の放射線画像撮影システム。
【請求項５】
前記クレードルは、
前記元の放射線画像撮影装置が挿入されて前記第１補正データと前記第２補正データの情報を読み取る際に、前記元の放射線画像撮影装置から前記放射線画像撮影装置の識別情報をも読み取り、前記放射線画像撮影装置の識別情報と、前記第１補正データおよび前記第２補正データと対応付けて前記管理装置に送信し、
前記元の放射線画像撮影装置の代わりとなる代替用の放射線画像撮影装置が挿入され、入力手段を介して前記元の放射線画像撮影装置の識別情報が入力されると、前記管理装置に前記識別情報を送信し、前記管理装置から前記元の放射線画像撮影装置に関する前記情報を入手して、前記代替用の放射線画像撮影装置に関する前記第２補正データを算出して前記代替用の放射線画像撮影装置に対して設定することを特徴とする請求項４に記載の放射線画像撮影システム。
【請求項６】
前記放射線画像撮影装置に関する前記第１補正データおよび前記第２補正データの情報を管理する管理装置を備え、
前記クレードルは、前記代替用の放射線画像撮影装置に関する前記第２補正データを算出すると、前記代替用の放射線画像撮影装置から読み取った前記第１補正データと、算出した前記第２補正データとを、前記代替用の放射線画像撮影装置の識別情報とともに前記管理装置に送信して、前記管理装置に、前記代替用の放射線画像撮影装置に関する前記第１補正データおよび前記第２補正データを管理させることを特徴とする請求項１から請求項５のいずれか一項に記載の放射線画像撮影システム。
【請求項７】
前記放射線画像撮影装置に関する前記第１補正データおよび前記第２補正データの情報を管理する管理装置を備え、
前記クレードルが、前記代替用の放射線画像撮影装置に関する前記第２補正データを算出する代わりに、
前記クレードルは、前記元の放射線画像撮影装置の代わりとなる代替用の放射線画像撮影装置が挿入されると、前記代替用の放射線画像撮影装置から前記第１補正データを読み取って前記管理装置に送信し、
前記管理装置が、送信されてきた前記代替用の放射線画像撮影装置に関する前記第１補正データと、前記元の放射線画像撮影装置に関する前記第１補正データおよび前記第２補正データとに基づいて、前記代替用の放射線画像撮影装置に関する前記第２補正データを算出し、前記クレードルを介して前記代替用の放射線画像撮影装置に対して、算出した前記第２補正データを設定することを特徴とする請求項２から請求項６のいずれか一項に記載の放射線画像撮影システム。
【請求項８】
前記クレードルは、前記元の放射線画像撮影装置の代わりとなる代替用の放射線画像撮影装置が挿入されて、入力手段を介して前記元の放射線画像撮影装置の識別情報が入力されると、前記代替用の放射線画像撮影装置から読み取った前記第１補正データと、入力された前記元の放射線画像撮影装置の識別情報とを、前記管理装置に送信し、
前記管理装置が、送信されてきた前記代替用の放射線画像撮影装置に関する前記第１補正データと、送信されてきた前記識別情報に対応する前記元の放射線画像撮影装置に関する前記第１補正データおよび前記第２補正データとに基づいて、前記代替用の放射線画像撮影装置に関する前記第２補正データを算出し、前記クレードルを介して前記代替用の放射線画像撮影装置に対して、算出した前記第２補正データを設定することを特徴とする請求項７に記載の放射線画像撮影システム。
【発明の詳細な説明】
【技術分野】
【０００１】
本発明は、放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を、２次元状に配置された放射線検出素子で検出して、デジタル画像データとして取得する放射線画像撮影装置が開発されている。
【０００３】
このタイプの放射線画像撮影装置はＦＰＤ（Flat Panel Detector）として知られており、従来は支持台と一体的に形成された、いわゆる専用機型の放射線画像撮影装置として形成されていた（例えば特許文献１参照）。しかし、近年、放射線検出素子等をハウジングに収納して可搬とされた可搬型の放射線画像撮影装置が開発され、実用化されている（例えば特許文献２、３参照）。
【０００４】
また、放射線画像撮影装置としては、照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が種々開発されている。
【０００５】
なお、本発明では、直接型の放射線画像撮影装置における検出素子や、間接型の放射線画像撮影装置における光電変換素子を、あわせて放射線検出素子という。
【０００６】
そして、放射線画像撮影装置では、例えば後述する図５等に示すように、通常、複数の放射線検出素子７が、検出部Ｐ上に二次元状（マトリクス状）に配列されて構成される。
【０００７】
ところで、このような放射線画像撮影装置を用いて放射線画像撮影を行う場合、各放射線検出素子７に同じ線量の放射線を照射しても、各放射線検出素子７で感度等が異なるため、各放射線検出素子７から読み出される各画像データＤは、通常、同じ値にはならない。
【０００８】
そのため、放射線検出素子７ごとに得られた各画像データＤに対して、例えば下記（１）式に示すようにゲイン補正値Ｇを乗算する等して、各放射線検出素子７に同じ線量の放射線を照射した場合に放射線検出素子７ごとに読み出される異なる画像データＤの値を均等な値に揃えるように演算処理がなされる（例えば特許文献４等参照）。
Ｄ＊＝log｛Ｇ×（Ｄ−Ｏ）｝    …（１）
【０００９】
なお、（１）式において、Ｄ＊は、放射線検出素子７から読み出された画像データＤに画像処理を施して得られる最終的な画像データを表す。また、Ｏは、放射線検出素子７自体の熱による熱励起等により発生した、いわゆる暗電荷による画像データＤ中に含まれるオフセットデータを表し、オフセットデータＯは、通常、撮影が行われるごとに取得される。
【００１０】
また、（１）式では、画像データＤに対するごく一般的な画像処理の場合が示されてい
るが、実際には、最終的な画像データＤ＊を得るために、このようなゲイン補正やオフセット補正のほか、正規化処理や、撮影部位や撮影条件に応じた諧調処理等の種々の画像処理が行われる。
【００１１】
このように、放射線検出素子７から読み出された画像データＤに適正な画像処理を施して最終的な診断用の画像データＤ＊を得るために、画像データＤに対するゲイン補正値Ｇ等の補正データが、各放射線検出素子７ごとに必要となる。なお、以下、ゲイン補正値Ｇ等の補正データを一般的にαと表す。
【００１２】
そして、補正データαは、通常、放射線画像撮影装置を製造工場から出荷する時点（すなわち工場出荷時）で、照射線量のシェーディングムラ影響を受けない様に、略平行光とされた所定の線量の放射線を放射線画像撮影装置の放射線入射面Ｒ（後述する図１参照）に一様に照射して得られる画像データＤ（およびオフセットデータＯ）に基づいて、上記（１）式等に従って算出される最終的な画像データＤ＊が全ての放射線検出素子７で同じ値になるように、放射線検出素子７ごとに設定される。
【００１３】
放射線画像撮影装置が実際に用いられる撮影室に設置されている放射線源には種々のタイプがあり、放射線画像撮影装置の放射線入射面Ｒに照射される放射線が、例えば放射線入射面Ｒの中央の部分で線量が大きくなり、放射線入射面Ｒの周縁部では線量が小さくなる。また、同一の放射線源を使用しても、検出器（被写体）に対して固定される位置（検出器との距離）によっても、中央と周辺の線量の差異は異なってくる。
【００１４】
また、放射線源から照射される放射線には、当該放射線源に固有のシェーディングムラ（照射ムラ）が存在する場合がある。このような放射線画像撮影装置に対する放射線の放射特性は、通常、各撮影室に設置された放射線源ごとに異なる。
【００１５】
更に、従来、スクリーン／フィルム方式を採用していた施設においては、前述した中央と周縁部との線量差は、仕上がりフィルムに於いて濃度差となって表れており、当該濃度差を含む前提で、各施設毎に長い年月をかけて診断分解能が確立されている経緯もあり、前述する中央と周縁部との線量差を相殺してフラットにするゲイン調整が必ずしも最適とは言い難い。
【００１６】
また、従来、ＣＲ方式を採用している施設に於いては、放射線源、蛍光体プレート、リーダ装置がそれぞれシェーディングムラ要因を有しているので、当該ムラ補正処理を出力時の諧調処理の前段で実施している場合には、この前段の処理に、ＦＰＤ用に新たな正規化処理が必要となるので、新たな画像処理装置を導入する必要がある。
【００１７】
そこで、上記のように工場出荷時に放射線検出素子７ごとに設定された補正データαは、通常、各施設の撮影室に導入する際に、当該撮影室に設置された放射線源の放射特性や画像処理条件等に応じて、施設毎の運用（診断分解能）に適合するように再調整される。
【００１８】
なお、この放射線画像撮影装置の撮影室への導入時に新たに設定されるゲイン補正値Ｇ等の補正データを、工場出荷時の補正データαと区別するために、以下、α＊と表す。また、補正データαと補正データα＊との区別を明確にするために、以下、第１補正データαおよび第２補正データα＊という。
【００１９】
上記の場合、第２補正データα＊は、当該撮影室に設置された放射線源の放射特性にあわせて、当該放射線源から所定の線量の放射線を放射線画像撮影装置の放射線入射面Ｒに照射した状態で得られる画像データＤ等に基づいて、上記（１）式等に従って算出される最終的な画像データＤ＊が全ての放射線検出素子７で同じ値になるように、放射線検出素
子７ごとに新たに設定される。
【００２０】
つまり、第１補正データαは、工場出荷時に放射線画像撮影装置に略平行光状の放射線を照射した場合に、最終的な画像データＤ＊が全ての放射線検出素子７で同じ値になるようにするための補正データであり、各放射線検出素子７における放射線の電荷への変換効率や図示しない読み出し回路の読み出し特性等のような放射線画像撮影装置自体の特性に由来する補正データである。
【００２１】
逆の言い方をすれば、放射線画像撮影装置自体の特性に由来する第１補正データαを得るために、工場出荷時に、放射線画像撮影装置に対して略平行光状の放射線を一様に照射する。
【００２２】
それに対し、第２補正データα＊は、このような放射線画像撮影装置自体の特性だけでなく、さらに放射線画像撮影装置に放射線を照射する撮影室の放射線源の放射特性や画像処理特性をも加味した補正データということになる。
【００２３】
そのため、第１補正データαは、放射線画像撮影装置の各放射線検出素子７ごとに１つずつ設定されるが、第２補正データα＊については、例えば病院等の複数の撮影室にそれぞれ設置された放射線源ごとに設定されるため、当該放射線画像撮影装置に放射線を照射し得る各放射線源の数だけ、当該放射線画像撮影装置に第２補正データα＊が設定されることになる。
【先行技術文献】
【特許文献】
【００２４】
【特許文献１】特許第３６３９７５０号公報
【特許文献２】特開２００６−０５８１２４号公報
【特許文献３】特開平６−３４２０９９号公報
【特許文献４】特開２０１０−１１２８６６号公報
【発明の概要】
【発明が解決しようとする課題】
【００２５】
ところで、このような状況において、例えば、撮影室に導入された放射線画像撮影装置が故障する等して、放射線画像撮影装置を工場等に持ち帰って修理するような場合には、放射線画像撮影装置の修理の間、別の放射線画像撮影装置が当該放射線画像撮影装置の代替用として提供されることが好ましい。
【００２６】
このような場合、代替用の放射線画像撮影装置に対しては、工場出荷時にゲイン補正値Ｇ等の第１補正データβ（なお、以下、元の放射線画像撮影装置に対する第１補正データα等と区別するために、代替用の放射線画像撮影装置に関する第１補正データ等を第１補正データβ等と表す。）が予め設定されているが、撮影室に導入された場合には、やはり、撮影室に設置されている放射線源の放射特性にあわせるために、新たに第２補正データβ＊を設定し直す必要がある。
【００２７】
しかし、代替用の放射線画像撮影装置を、今後、撮影室で使い続けるのであればともかく、放射線画像撮影装置の修理が終了すれば元の放射線画像撮影装置と交換される代替用の放射線画像撮影装置に対して、わざわざ第２補正データβ＊を設定することは、放射線技師等にとっては面倒な作業である。また、撮影室が複数あり、放射線源が複数設置されている場合、各放射線源に対して第２補正データβ＊をそれぞれ設定する作業は非常に面倒な作業になる。
【００２８】
一方、例えば後述する図７に示すように、撮影室ＲａとコンソールＣがネットワークＮ等を介して接続されているような場合に、例えば、ある放射線技師等により、コンソールＣ１で、撮影室Ｒａ１と撮影室Ｒａ２とを使用すると宣言されたとする。この場合、コンソールＣ１と撮影室Ｒａ１、Ｒａ２とが対応付けられる。
【００２９】
そして、撮影室Ｒａ１で撮影が行われている場合に、例えば、他の放射線技師等が撮影室Ｒａ２で代替用の放射線画像撮影装置の第２補正データβ＊の設定作業を行おうとしても、コンソールＣ１が撮影室Ｒａ１の撮影で使用中であるため、コンソールＣ１が空くまで第２補正データβ＊の設定作業を行うことができなくなるといった問題もある。
【００３０】
本発明は、以上のような課題に鑑みてなされたものであり、代替用の放射線画像撮影装置に対する第２補正データβ＊の設定を容易に行うことが可能であり、しかもコンソールが使用中であっても代替用の放射線画像撮影装置に対する第２補正データβ＊の設定作業を行うことが可能な放射線画像撮影システムを提供することを目的とする。
【課題を解決するための手段】
【００３１】
前記の問題を解決するために、本発明の放射線画像撮影システムは、
二次元状に配列された複数の放射線検出素子を備え、放射線の照射により前記各放射線検出素子内で発生した電荷を画像データとして読み出す放射線画像撮影装置と、
撮影室内に設けられ、前記放射線画像撮影装置に放射線を照射する放射線源と、
前記撮影室内に設けられたクレードルと、
前記放射線画像撮影装置から送信された前記画像データに基づいて放射線画像を生成するコンソールと、
を備え、
前記クレードルは、
挿入された前記放射線画像撮影装置から、工場出荷時に設定された第１補正データと、前記撮影室の前記放射線源に対応して設定された第２補正データの情報を読み取って保存するとともに、
前記放射線画像撮影装置の代わりとなる代替用の放射線画像撮影装置が挿入されると、前記代替用の放射線画像撮影装置について工場出荷時に設定された第１補正データを読み取り、読み取った前記代替用の放射線画像撮影装置に関する前記第１補正データと、前記元の放射線画像撮影装置から読み取った前記第１補正データおよび前記第２補正データとに基づいて、前記撮影室の前記放射線源に対応する第２補正データを算出し、算出した前記第２補正データを前記代替用の放射線画像撮影装置に対して設定することを特徴とする。
【００３２】
また、本発明の放射線画像撮影システムは、
前記放射線画像撮影装置に関する前記第１補正データおよび前記第２補正データの情報を管理する管理装置を備え、
前記クレードルは、
前記元の放射線画像撮影装置の前記第１補正データおよび前記第２補正データの情報を自ら保存する代わりに、前記元の放射線画像撮影装置の代わりとなる前記代替用の放射線画像撮影装置が挿入されると前記管理装置から前記元の放射線画像撮影装置に関する前記情報を入手して、前記代替用の放射線画像撮影装置に関する前記第２補正データを算出して前記代替用の放射線画像撮影装置に対して設定することを特徴とする。
【００３３】
さらに、本発明の放射線画像撮影システムは、
前記クレードルが、前記代替用の放射線画像撮影装置に関する前記第２補正データを算出する代わりに、
前記クレードルは、前記元の放射線画像撮影装置の代わりとなる代替用の放射線画像撮
影装置が挿入されると、前記代替用の放射線画像撮影装置から前記第１補正データを読み取って前記管理装置に送信し、
前記管理装置が、送信されてきた前記代替用の放射線画像撮影装置に関する前記第１補正データと、前記元の放射線画像撮影装置に関する前記第１補正データおよび前記第２補正データとに基づいて、前記代替用の放射線画像撮影装置に関する前記第２補正データを算出し、前記クレードルを介して前記代替用の放射線画像撮影装置に対して、算出した前記第２補正データを設定することを特徴とする。
【発明の効果】
【００３４】
本発明のような方式の放射線画像撮影システムによれば、管理装置や撮影室に設けられたクレードルで、代替用の放射線画像撮影装置の第１補正データβと、元の放射線画像撮影装置の第１補正データαおよび第２補正データα＊とに基づいて、代替用の放射線画像撮影装置に関する、クレードルが設置されている撮影室の放射線源に対応する第２補正データβ＊を算出して設定するように構成した。
【００３５】
そのため、元の放射線画像撮影装置の代わりに一時的に用いられる代替用の放射線画像撮影装置に対して、放射線技師等がわざわざ撮影室の放射線源から放射線を照射する等して第２補正データβ＊を設定する必要がなくなり、代替用の放射線画像撮影装置をクレードルに挿入して、元の放射線画像撮影装置の識別情報を入力するだけでよくなる。
【００３６】
そして、クレードルや管理装置が、元の放射線画像撮影装置における第１補正データαと第２補正データα＊との関係を、代替用の放射線画像撮影装置における第１補正データβと第２補正データβ＊との関係に適用して、代替用の放射線画像撮影装置に関する第２補正データβ＊を算出して設定するため、代替用の放射線画像撮影装置に対する第２補正データβ＊の設定を、非常に容易に行うことが可能となる。
【００３７】
また、コンソールではなく、クレードルや管理装置が代替用の放射線画像撮影装置に対する第２補正データβ＊の設定を行うため、例えば、ある放射線技師等により、コンソールで一の撮影室が指定されてコンソールと当該撮影室とが対応付けられたような場合でも、例えば他の放射線技師は、他の撮影室のクレードルに代替用の放射線画像撮影装置を挿入して代替用の放射線画像撮影装置に対する第２補正データβ＊の設定を行うことが可能となる。
【００３８】
そのため、コンソールが使用中であっても代替用の放射線画像撮影装置に対する第２補正データβ＊の設定作業を行うことが可能となり、放射線画像撮影システムが放射線技師等にとって非常に使い勝手がよいものとなる。
【図面の簡単な説明】
【００３９】
【図１】本実施形態に係る放射線画像撮影装置の外観斜視図である。
【図２】図１の放射線画像撮影装置を反対側から見た外観斜視図である。
【図３】図１におけるＡ−Ａ線に沿う断面図である。
【図４】放射線画像撮影装置の基板の構成を示す平面図である。
【図５】図４の基板上の小領域に形成された放射線検出素子とＴＦＴ等の構成を示す拡大図である。
【図６】フレキシブル回路基板やＰＣＢ基板等が取り付けられた基板を説明する側面図である。
【図７】本実施形態に係る放射線画像撮影システムの全体構成を示す図である。
【図８】撮影室も構成を示す図である。
【図９】放射線画像撮影装置のコネクタとブッキー装置のコネクタとが接続された状態を表す外観斜視図である。
【図１０】カセッテ保持部の内部にコネクタが設けられたブッキー装置を説明する図である。
【図１１】撮影オーダ情報の例を示す図である。
【図１２】撮影オーダ情報を表示する選択画面の例を示す図である。
【図１３】選択された各撮影オーダ情報に対応する各アイコン等が表示された画面の例を示す図である。
【図１４】フォーカスされた元のアイコンの位置にプレビュー画像が表示された状態を示す図である。
【図１５】次のアイコンがフォーカスされ、元のアイコンの位置に放射線画像が表示された状態を示す図である。
【図１６】本実施形態に係るクレードルの概略断面図である。
【発明を実施するための形態】
【００４０】
以下、本発明に係る放射線画像撮影システムの実施の形態について、図面を参照して説明する。ただし、本発明は以下の図示例のものに限定されるものではない。
【００４１】
［放射線画像撮影装置について］
まず、本実施形態に係る放射線画像撮影システム５０における放射線画像撮影に用いられる放射線画像撮影装置１について説明する。
【００４２】
なお、以下では、放射線画像撮影装置１として、シンチレータ等を備え、放射された放射線を可視光等の他の波長の電磁波に変換して電気信号を得るいわゆる間接型の放射線画像撮影装置について説明するが、本発明は、シンチレータ等を介さずに放射線を放射線検出素子で直接検出する、いわゆる直接型の放射線画像撮影装置に対しても適用することができる。
【００４３】
図１は、放射線画像撮影装置の外観斜視図であり、図２は、放射線画像撮影装置を反対側から見た外観斜視図である。また、図３は、図１のＡ−Ａ線に沿う断面図である。放射線画像撮影装置１は、図１〜図３に示すように、筐体状のハウジング２内にシンチレータ３や基板４等で構成されるセンサパネルＳＰが収納されている。
【００４４】
図１や図２に示すように、放射線画像撮影装置１の筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。
【００４５】
図１に示すように、筐体２の一方側の蓋部材２Ｂには、電源スイッチ３７や選択スイッチ３８、コネクタ３９、バッテリ状態や放射線画像撮影装置１の稼働状態等を表示するＬＥＤ等で構成されたインジケータ４０等が配置されている。
【００４６】
また、図２に示すように、筐体２の反対側の蓋部材２Ｃには、放射線画像撮影装置１の識別情報であるカセッテＩＤを無線で管理装置Ｓに送信したり、画像データＤ等を後述するコンソールＣに無線で転送するための無線通信手段であるアンテナ装置４１が埋め込まれている。なお、アンテナ装置４１を設ける場合には、アンテナ装置４１の筐体２上の配置場所や配置する個数は適宜決められる。
【００４７】
また、本実施形態では、アンテナ装置４１は、ＩＥＥＥ８０２．１１規格に準拠した無線ＬＡＮにより、後述するアクセスポイント５３を介してコンソールＣ等と無線通信を行うことができるように構成されている。
【００４８】
筐体２の内部には、図３に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。なお、基板４やシンチレータ３の放射線入射面Ｒ側には、それらを保護するためのガラス基板３５が配設されている。また、センサパネルＳＰと筐体２の側面との間にも緩衝材３６が設けられている。
【００４９】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００５０】
基板４は、ガラス基板で構成されており、図４に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００５１】
このように、走査線５と信号線６で区画された各小領域ｒに二次元状（マトリクス状ともいう。）に配列された複数の放射線検出素子７が設けられた領域ｒ全体、すなわち図４に一点鎖線で示される領域が検出部Ｐとされている。
【００５２】
放射線検出素子７としては、フォトダイオードが用いられているが、この他にも例えばフォトトランジスタ等を用いることも可能である。各放射線検出素子７は、図４の拡大図である図５に示すように、スイッチ手段であるＴＦＴ８のソース電極８ｓに接続されている。また、ＴＦＴ８のドレイン電極８ｄは信号線６に接続されている。
【００５３】
また、ＴＦＴ８は、図示しないゲートドライバから走査線５を介してゲート電極８ｇにオン電圧が印加されるとオン状態となって放射線検出素子７内に蓄積されている電荷を信号線６に放出させる。また、ゲートドライバから走査線５を介してゲート電極８ｇにオフ電圧が印加されるとオフ状態となって放射線検出素子７から信号線６への電荷の放出を停止して、放射線検出素子７内に電荷を保持するようになっている。
【００５４】
図５に示すように、列状に配置された複数の放射線検出素子７にそれぞれバイアス線９が接続されており、図４に示すように、各バイアス線９は、基板４の検出部Ｐの外側の位置で１本の結線１０に結束されている。そして、図示しないバイアス電源から結線１０およびバイアス線９を通じて各放射線検出素子７に逆バイアス電圧が印加されるようになっている。
【００５５】
また、各走査線５や各信号線６、バイアス線９の結線１０は、それぞれ基板４の端縁部付近に設けられた入出力端子（パッドともいう）１１に接続されている。各入出力端子１１には、図６に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００５６】
また、フレキシブル回路基板１２は、基板４の裏面４ｂ側に引き回され、裏面４ｂ側で前述したＰＣＢ基板３３に接続されるようになっている。このようにして、放射線画像撮影装置１のセンサパネルＳＰの基板４部分が形成されている。なお、図６では、電子部品３２等の図示が省略されている。
【００５７】
一方、放射線画像撮影装置１では、患者の身体等の被写体を介して放射線が照射された
後、各放射線検出素子７から画像データＤの読み出し処理が行われるようになっており、本実施形態では、放射線画像撮影装置１は、各放射線検出素子７から読み出した各画像データＤから所定の割合でデータを間引いてデータ量を減少させた間引きデータＤｔを作成するようになっている。
【００５８】
そして、放射線画像撮影装置１は、撮影が終了するごとに、無線通信手段であるアンテナ装置４１を介して後述するコンソールＣに間引きデータＤｔを送信するようになっている。そして、間引きデータＤｔを送信した後、続けて自動的に画像データＤを送信するようになっている。なお、送信される間引きデータＤｔや画像データＤには、当該放射線画像撮影装置１のカセッテＩＤが付帯されて送信されるようになっている。
【００５９】
また、放射線画像撮影装置１は、各画像データＤに重畳されている暗電荷に起因するオフセット分を取得するためのダーク読取処理を所定のタイミングで行うようになっており、ダーク読取処理で読み出したダーク読取値ｄに基づいて算出したオフセットデータＯをコンソールＣに自動的に送信するようになっている。
【００６０】
一方、前述したように、放射線画像撮影装置１に対しては、工場出荷時に、前述したゲイン補正値Ｇ等の第１補正データαが放射線検出素子７ごとに設定されており、放射線画像撮影装置１に内蔵されたメモリに、これらの放射線検出素子７ごとの第１補正データαの情報が記憶されている。なお、当該メモリに、欠陥画素位置に関する情報を記憶しておくこととしても良い。
【００６１】
また、前述したように、放射線画像撮影装置１は、病院等の後述する撮影室Ｒａに導入される際に、撮影室Ｒａに設置されている放射線源５２に対応して、放射線検出素子７ごとに新たに第２補正データα＊が設定されるようになっており、これらの放射線検出素子７ごとの第２補正データα＊の情報もメモリに記憶されている。
【００６２】
なお、後述する図７等に示すように、放射線画像撮影システム５０内に複数の放射線源５２が設けられている場合には、放射線画像撮影装置１には、各放射線源５２に対応する第２補正データα＊がそれぞれ設定されて記憶されている。
【００６３】
［放射線画像撮影システムについて］
次に、本実施形態に係る放射線画像撮影システム５０の構成等について説明する。図７は、本実施形態に係る放射線画像撮影システムの全体構成を示す図である。
【００６４】
なお、以下では、放射線画像撮影システム５０が、複数の撮影室Ｒａ（Ｒａ１〜Ｒａ３）と複数のコンソールＣ（Ｃ１、Ｃ２）とを備えて構成されている場合について説明するが、撮影室ＲａとコンソールＣの何れか或いは両方が単数であってもよい。
【００６５】
また、以下では、管理装置ＳとコンソールＣとが別体として設けられている場合について説明するが、単数のコンソールＣが、或いは、複数のコンソールＣ中の１つのコンソールＣが、管理装置Ｓの機能を備えるように構成することも可能である。
【００６６】
本実施形態では、複数の撮影室Ｒａと複数のコンソールＣとが、ＬＡＮ（Local Area Network）等のネットワークＮを介して接続されており、ネットワークＮには管理装置Ｓが接続されている。また、図示を省略するが、ネットワークＮには、さらに、他のコンピュータや、放射線画像をフィルム等の画像記録媒体に記録して出力するイメージャ等の外部機器、ＨＩＳ（Hospital Information System；病院情報システム）、ＲＩＳ（Radiology
Information System；放射線科情報システム）等の必要な装置が接続されている。
【００６７】
各撮影室Ｒａ（図７では撮影室Ｒａ１〜Ｒａ３）は、患者の身体の一部である被写体（すなわち患者の撮影部位）に放射線を照射して放射線画像撮影を行う部屋である。以下、放射線画像撮影システム５０における各撮影室Ｒａ内の構成等について説明する。
【００６８】
撮影室Ｒａ内には、図８に示すように、放射線画像撮影装置１を装填可能なブッキー装置５１が設置されており、ブッキー装置５１は、カセッテ保持部（カセッテホルダともいう。）５１ａに放射線画像撮影装置１を装填して用いることができるようになっている。
【００６９】
なお、図８では、撮影室Ｒａに、ブッキー装置５１として立位撮影用のブッキー装置５１Ａと臥位撮影用のブッキー装置５１Ｂが設置されている場合が示されているが、例えば、立位撮影用のブッキー装置５１Ａのみ、或いは臥位撮影用のブッキー装置５１Ｂのみが設けられていてもよい。
【００７０】
本実施形態では、ブッキー装置５１は、カセッテ保持部５１ａに従来のＣＲカセッテを装填して用いることもできるように構成されており、撮影室ＲａにＣＲカセッテ用に設置されている既存のブッキー装置が用いられる。
【００７１】
そのため、上記の放射線画像撮影装置１は、ＣＲカセッテと同様の寸法になるように形成されている。すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００７２】
そして、このＪＩＳ規格サイズのＣＲカセッテを装填することができるブッキー装置５１への装填使用を可能とするため、放射線画像撮影装置１も、ＣＲカセッテが準拠するスクリーンフィルム用のカセッテにおけるＪＩＳ規格に準拠した寸法で形成されている。
【００７３】
なお、スクリーン／フィルムカセッテやＣＲカセッテ用の既存のブッキー装置を用いない場合には、放射線画像撮影装置１を上記の寸法で形成する必要はなく、放射線画像撮影装置１を任意の大きさや形状に形成することが可能である。しかし、その際には、ブッキー装置５１として、任意に設定された形状の放射線画像撮影装置１を装填することができるブッキー装置を新たに撮影室Ｒａ内に設置することが必要となる。
【００７４】
また、例えば図９に示すように、ブッキー装置５１から延びるケーブルの先端に設けられたコネクタ５１ｂを放射線画像撮影装置１のコネクタ３９（図１参照）に接続した状態で、放射線画像撮影装置１をブッキー装置５１のカセッテ保持部５１ａに装填するように構成することも可能である。
【００７５】
さらに、例えば図１０に示すように、ブッキー装置５１のカセッテ保持部５１ａの内部に、装填された放射線画像撮影装置１のコネクタ３９と接続されるコネクタ５１ｂを設けておき、放射線画像撮影装置１を装填すると、放射線画像撮影装置１のコネクタ３９とブッキー装置５１のコネクタ５１ｂとが自動的に接続されるように構成することも可能である。
【００７６】
図９や図１０に示したように構成すれば、ブッキー装置５１のコネクタ５１ｂと放射線画像撮影装置１のコネクタ３９とが接続されることにより、ブッキー装置５１から放射線画像撮影装置１に電力を供給することが可能となり、放射線画像撮影装置１に内蔵されたバッテリの消耗を防止することが可能となる。
【００７７】
また、ケーブルを、後述する中継器５４に接続して、ブッキー装置５１に装填された放
射線画像撮影装置１からコンソールＣに画像データＤを送信する際に、ケーブルを介して有線方式で送信するように構成することも可能である。
【００７８】
図７や図８に示すように、撮影室Ｒａには、被写体に放射線を照射する放射線源５２が少なくとも１つ設けられている。
【００７９】
そして、本実施形態では、放射線源５２（図８参照）は、例えば撮影室Ｒａの天井からつり下げられて配置されるようになっており、撮影時にはコンソールＣからの指示に基づいて起動され、図示しない移動手段により所定の位置にまで移動されるようになっている。そして、図８に示すように、放射線の照射方向を変えることで、立位撮影用のブッキー装置５１Ａや臥位撮影用のブッキー装置５１Ｂに装填された放射線画像撮影装置１に対して放射線を照射することができるようになっている。
【００８０】
放射線源５２は、図示しないＸ線管球を備えており、Ｘ線管球は、後述する放射線発生装置５７から所定の管電圧や管電流等が供給されると、指定された照射時間だけ管電圧等に応じた線量の放射線を照射するようになっている。
【００８１】
撮影室Ｒａは放射線が撮影室外に漏洩しないように鉛などでシールドされているため、撮影室Ｒａ内で放射線画像撮影装置１からアンテナ装置４１を介して画像データＤ等の情報を送受信しようとしても、そのままでは送受信することが困難になる。
【００８２】
そこで、図７や図８に示すように、各撮影室Ｒａには、放射線画像撮影装置１からコンソールＣに画像データＤ等を送信する際に、放射線画像撮影装置１から発信された画像データＤ等を受信してコンソールＣに伝送するためのアクセスポイント５３がそれぞれ設けられている。そして、アクセスポイント５３は、中継器５４に接続されており、中継器５４やネットワークＮ（図７参照）を介してコンソールＣや管理装置Ｓと接続されている。
【００８３】
また、撮影室Ｒａには、撮影室Ｒａや前室Ｒｂ内の各装置と、撮影室Ｒａ外のネットワークＮ（図７参照）との通信を中継する中継器５４が設けられている。図８に示すように、中継器５４には、アクセスポイント５３のほか、後述するクレードル５５や前室Ｒｂの放射線発生装置５７等が接続されており、それらの各装置と、撮影室Ｒａ外のコンソールＣや管理装置Ｓとの間の通信を、ネットワークＮ（図７参照）を介して中継するようになっている。
【００８４】
本実施形態では、中継器５４にはクレードル５５が接続されており、クレードル５５を介して、代替用の放射線画像撮影装置１ｂに対する第２補正データβ＊の設定処理が行われるようになっているが、この点については、後で詳しく説明する。
【００８５】
また、本実施形態では、クレードル５５には、例えば後述する図１６に示すように、放射線画像撮影装置１が挿入される挿入口が設けられており、撮影室Ｒａに持ち込まれた放射線画像撮影装置１が挿入されて、放射線画像撮影装置１のコネクタ３９とクレードル５５のコネクタ５５ａとが接続されると、放射線画像撮影装置１からクレードル５５や中継器５４を介して、コンソールＣに対して、放射線画像撮影装置１の識別情報であるカセッテＩＤが通知されるようになっている。
【００８６】
なお、クレードル５５は、通常、放射線画像撮影装置１等を保管したり充電するために用いられるものであり、本実施形態においても、クレードル５５が充電等の機能を有するように構成することも可能である。さらに、後述する図１６では、放射線画像撮影装置１を挿入する挿入口が２個設けられたクレードル５５が示されているが、挿入口は１個でもよく、或いは３個以上設けられていてもよい。
【００８７】
また、クレードル５５は撮影室Ｒａと前室Ｒｂの何れに設置されてもよく、撮影室Ｒａに設置される場合には、放射線源５２から照射される放射線が到達しない位置、すなわち、例えば撮影室Ｒａのコーナーの位置等に設置される。
【００８８】
図８に示すように、前室Ｒｂには、放射線源５２に対して放射線の照射開始等を指示するために撮影者が操作する曝射スイッチ５６等を備えた放射線発生装置５７が設けられている。
【００８９】
そして、放射線発生装置５７は、コンソールＣからの指示に基づいて、放射線源５２に所定の管電圧や管電流等を供給したり、放射線源５２を所定の位置に移動させたり、放射線源５２の照射方向を変える等して、放射線源５２を起動させるようになっている。
【００９０】
次に、撮影室Ｒａ以外にネットワークＮに接続されているコンソールＣや管理装置Ｓについて説明する。まず、管理装置Ｓについて説明する。
【００９１】
管理装置Ｓは、図示しないＣＰＵやＲＯＭ、ＲＡＭ、入出力インターフェース等がバスに接続されたサーバコンピュータ等で構成されている。ＲＯＭには所定のプログラムが格納されており、コンソールＣは、必要なプログラムを読み出してＲＡＭの作業領域に展開してプログラムに従って各種処理を実行するようになっている。
【００９２】
本実施形態では、管理装置Ｓは、下記のようにコンソールＣから各放射線画像撮影装置１の存在場所すなわち当該放射線画像撮影装置１が何れの撮影室Ｒａに存在するかを示す情報の情報を入手して、各放射線画像撮影装置１が存在する撮影室Ｒａの情報等を管理するようになっている。
【００９３】
また、本実施形態では、管理装置Ｓは、各放射線画像撮影装置１に関して、第１補正データαや各撮影室Ｒａの各放射線源５２に対応する第２補正データα＊の各情報を図示しない記憶手段に記憶して管理するようになっている。また、欠陥画素位置に関する情報も、併せて記憶して管理するようにしても良い。
【００９４】
そして、管理装置Ｓは、コンソールＣから、放射線画像撮影装置１が存在する撮影室Ｒａの情報が送信されてくると、管理装置Ｓは、上記のようにそれらの情報を管理するとともに、その時点で、そのコンソールＣに対して、当該放射線画像撮影装置１に関する当該撮影室Ｒａの放射線源５２に対応する第２補正データα＊（後述するように代替用の放射線画像撮影装置１については第２補正データβ＊）や欠陥画素位置の情報等を送信するようになっている。
【００９５】
なお、前述したように、放射線画像撮影装置１には、工場出荷時に、放射線検出素子７ごとにゲイン補正値Ｇ等の第１補正データαが設定されている。そこで、放射線画像撮影装置１をこの放射線画像撮影システム５０（すなわち放射線画像撮影システム５０が適用される病院等）に導入された時点で、放射線画像撮影装置１に設定されている放射線検出素子７ごとの第１補正データαを放射線画像撮影装置１から読み出して、管理装置Ｓに送信し、放射線画像撮影装置１の識別情報であるカセッテＩＤと第１補正データαとを対応付けて記憶させる。なお、欠陥画素位置情報を送信する場合は、当該欠陥画素位置情報もカセッテＩＤと対応つけて記憶させる。
【００９６】
また、導入時に予めこの放射線画像撮影装置１を撮影室Ｒａ１に持ち込んで、撮影室Ｒａ１の放射線源５２から放射線画像撮影装置１に放射線を照射させて各放射線検出素子７から画像データＤを読み出し、放射線を照射しない状態でオフセットデータＯを読み出し
て、例えばコンソールＣ１で、読み出された画像データＤとオフセットデータＯに基づいて、上記（１）式等に従って算出される最終的な画像データＤ＊が全ての放射線検出素子７で同じ値になるように、ゲイン補正値Ｇ等の第２補正データα＊を放射線検出素子７ごとに設定する。
【００９７】
そして、設定した第２補正データα＊と撮影室Ｒａ１の識別情報とを、或いは、撮影室Ｒａ１内に放射線源５２が複数設置されている場合には、設定した第２補正データα＊と、放射線源５２の識別情報とを、管理装置Ｓに送信し、それらと放射線画像撮影装置１のカセッテＩＤとを対応付けて記憶させる。撮影室Ｒａ１内に複数の放射線源５２が設置されている場合には、各放射線源５２についてそれぞれ上記の処理を行う。
【００９８】
続いて、この放射線画像撮影装置１を、撮影室Ｒａ２や撮影室Ｒａ３にそれぞれ持ち込んで、上記の処理を行い、当該放射線画像撮影装置１に関して、各撮影室Ｒａ１〜Ｒａ３の各放射線源５２に対応する第２補正データα＊をそれぞれ設定し、放射線画像撮影装置１のカセッテＩＤと、放射線源５２の識別情報（或いは撮影室Ｒａ内に放射線源５２が１つだけ設けられている場合には撮影室Ｒａの識別情報でよい。）と、第２補正データα＊とをそれぞれ対応付けて、管理装置Ｓに記憶させて管理させるようになっている。
【００９９】
一方、本実施形態では、後述するように、クレードル５５や管理装置Ｓで、代替用の放射線画像撮影装置１に対する第２補正データβ＊の算出、設定処理が行われる。この処理については、後で詳しく説明する。
【０１００】
そして、その際、クレードル５５で代替用の放射線画像撮影装置１に対する第２補正データβ＊の算出、設定処理を行った場合には、クレードル５５から当該代替用の放射線画像撮影装置１に関する第１補正データβと算出した第２補正データβ＊とが、当該代替用の放射線画像撮影装置１の識別情報であるカセッテＩＤとともに管理装置Ｓに送信されてくるため、管理装置Ｓは、それらの情報も記憶手段に記憶して管理するようになっている。
【０１０１】
次に、コンソールＣ（図７参照）について説明する。
【０１０２】
コンソールＣは、図示しないＣＰＵやＲＯＭ、ＲＡＭ、入出力インターフェース等がバスに接続されたコンピュータ等で構成されている。ＲＯＭには所定のプログラムが格納されており、コンソールＣは、必要なプログラムを読み出してＲＡＭの作業領域に展開してプログラムに従って各種処理を実行するようになっている。
【０１０３】
コンソールＣには、ＣＲＴ（Cathode Ray Tube）やＬＣＤ（Liquid Crystal Display）等からなる図示しない表示部が設けられており、その他、キーボードやマウス等の図示しない入力手段等が接続されている。また、コンソールＣには、ハードディスク等で構成された図示しない記憶手段が接続されており、或いは、内蔵されている。
【０１０４】
コンソールＣでは、放射線技師等の撮影者により、撮影に用いられる撮影室Ｒａが指定できるようになっており、この指定により、コンソールＣと撮影室Ｒａとが対応付けられるとともに、他のコンソールＣに対して当該コンソールＣが当該撮影室Ｒａを使用することが宣言されるようになっている。
【０１０５】
すなわち、例えば、コンソールＣ１で撮影室Ｒａ１と撮影室Ｒａ２が指定されると、その後は、コンソールＣ１による指定が解除されるまでは、他のコンソールＣ２で撮影室Ｒａ１や撮影室Ｒａ２を指定することができなくなり、例えば撮影室Ｒａ２からコンソールＣ２に画像データＤ等を送信することができなくなる。なお、本実施形態では、コンソー
ルＣによる指定が行われても、指定された撮影室Ｒａから管理装置Ｓにデータや情報等を送信することは可能である。
【０１０６】
また、本実施形態では、図７や図８等に示したように、撮影室Ｒａや前室Ｒｂ内の各装置からコンソールＣ等に信号やデータ等を送信する場合には、全て中継器５４で中継されて送信されるようになっている。そして、信号等には中継器５４の中継器ＩＤが付帯されて送信されるため、コンソールＣは、この中継器ＩＤを参照することで、当該信号等がどの撮影室Ｒａから送信されてきたものであるかを認識することができる。
【０１０７】
そのため、本実施形態では、コンソールＣは、予め撮影室Ｒａの識別情報と撮影室Ｒａ内に設けられた中継器５４の中継器ＩＤとを対応付けたテーブルを備えており、信号やデータ等が送信されてくると、その信号等に付帯されている中継器ＩＤを参照して、当該信号等がどの撮影室Ｒａから送信されてきたものであるかを認識するようになっている。
【０１０８】
そのため、コンソールＣが上記のように撮影室Ｒａを指定して撮影室Ｒａと対応付けられると、当該撮影室Ｒａ内の放射線画像撮影装置１から送信された間引きデータＤｔや画像データＤ等が確実に当該コンソールＣに送信されるようになる。
【０１０９】
また、本実施形態では、前述したように、撮影室Ｒａに持ち込まれた放射線画像撮影装置１がクレードル５５に挿入されて、放射線画像撮影装置１のカセッテＩＤ等がクレードル５５や中継器５４を介して送信されてくると、コンソールＣは、そのカセッテＩＤを撮影室Ｒａの識別情報に対応付けて記憶手段に保存して、そのカセッテＩＤを有する放射線画像撮影装置１が撮影室Ｒａ内に存在することを認識して管理するようになっている。
【０１１０】
また、コンソールＣは、それと同時に、当該放射線画像撮影装置１の識別情報であるカセッテＩＤと撮影室Ｒａの識別情報とを管理装置Ｓに送信することで、管理装置Ｓに対して、当該放射線画像撮影装置１が撮影室Ｒａ内に存在することを通知するようになっている。
【０１１１】
ここで、本実施形態における、代替用の放射線画像撮影装置１に対する第２補正データβ＊の算出、設定処理等について説明する前に、コンソールＣにおける画像処理等について説明する。
【０１１２】
コンソールＣは、撮影者の操作により、ネットワークＮに接続された図示しないＨＩＳやＲＩＳから、撮影オーダ情報等の必要な情報を入手するようになっている。
【０１１３】
撮影オーダ情報は、少なくとも撮影部位と撮影条件を指定して設定されるようになっている。具体的には、撮影オーダ情報は、図１１に例示するように、患者情報としての「患者ＩＤ」Ｐ２、「患者氏名」Ｐ３、「性別」Ｐ４、「年齢」Ｐ５、「診療科」Ｐ６、および「撮影部位」Ｐ７、および撮影条件としての「撮影方向」Ｐ８や使用するブッキー装置５１を表す「ブッキーＩＤ」Ｐ９や使用するカセッテの「カセッテＩＤ」Ｐ１０等で構成されるようになっている。そして、撮影オーダが登録された順に、各撮影オーダ情報に対して「撮影オーダＩＤ」Ｐ１が自動的に割り当てられるようになっている。
【０１１４】
コンソールＣは、撮影オーダ情報を入手すると、図１２に示すように、表示部上に各撮影オーダ情報の一覧を選択画面Ｈ１として表示するようになっている。本実施形態では、選択画面Ｈ１には、撮影オーダ情報表示欄ｈ１１や選択ボタンｈ１２、決定ボタンｈ１３、戻るボタンｈ１４が表示されるようになっている。
【０１１５】
そして、例えば、撮影者が選択ボタンｈ１２をクリックして、各撮影オーダ情報を選択
して、決定ボタンｈ１３をクリックすると、コンソールＣは、表示部上に図１３に示すような画面Ｈ２を表示するようになっている。
【０１１６】
画面Ｈ２には、図１３に示すように、各撮影オーダ情報に対応する各アイコンＩが表示され、各アイコンＩの下部には、後述するように、アイコンＩの位置に表示されるプレビュー画像ｐ_preを撮影者が見て再撮影が不要と判断したり、アイコンＩの位置に表示される放射線画像ｐが正常であると判断して放射線画像ｐを確定させる際にクリックする「ＯＫ」ボタンと、再撮影が必要であったり、放射線画像ｐに対する画像処理等をやり直す際にクリックする「ＮＧ」ボタンがそれぞれ表示されている。
【０１１７】
また、画面Ｈ２の右側に表示されている照射条件の設定用の表示Ｉａ上の各項目の「＋」ボタンや「−」ボタンをクリックすることで、放射線発生装置５７の放射線源５２の管電圧や管電流、照射時間等の照射条件を変更して設定することができるようになっている。
【０１１８】
一方、本実施形態では、各アイコンＩ１〜Ｉ４は、何れか１つのアイコンＩ（図１３の場合はアイコンＩ２）が目立つようにフォーカスされて表示されるようになっており、フォーカスされているアイコンＩに対応する撮影オーダ情報に基づく撮影が行われるようになっている。なお、撮影者が、別の撮影オーダ情報に基づく撮影を行いたい場合には、その撮影オーダ情報に対応する他のアイコンＩをクリックする等して操作することにより、フォーカスを遷移させることができるようになっている。
【０１１９】
また、本実施形態では、コンソールＣは、フォーカスされているアイコンＩに対応する撮影オーダ情報に基づく撮影が行われるように、撮影室Ｒａ内の放射線発生装置５７を制御して、放射線源５２に所定の管電圧や管電流、照射時間等の照射条件で起動させたり、放射線源５２を移動させたり、その照射方向を変えさせるようになっている。
【０１２０】
なお、画面Ｈ２の左側には、フォーカスして表示されているアイコンＩに対応する撮影オーダ情報で指定された撮影部位が、撮影者が一目で分かるように表した人体モデルＩｂ上に表示されるようになっている。
【０１２１】
一方、フォーカスして表示されたアイコンＩに対応する撮影オーダ情報に基づく放射線画像撮影が行われると、前述したように、放射線画像撮影装置１からは、各放射線検出素子７の画像データＤから作成された間引きデータＤｔが送信されてくる。コンソールＣは、放射線画像撮影装置１から間引きデータＤｔが送信されてくると、図１４に示すように、送信されてきた間引きデータＤｔに基づくプレビュー画像を、フォーカスされていた元のアイコンＩ２の位置に表示するようになっている。
【０１２２】
なお、撮影者がプレビュー画像ｐ_preを見易いように、プレビュー画像ｐ_preを画面Ｈ２上に拡大して表示するように構成することも可能である。
【０１２３】
また、その後、当該放射線画像撮影装置１から画像データＤが送信されてくると、コンソールＣは、画像データＤに付帯されている当該放射線画像撮影装置１のカセッテＩＤや中継器５４の中継器ＩＤを参照し、当該アイコンＩに対応する撮影オーダ情報に指定されている放射線画像撮影装置１であること等を確認して、撮影オーダ情報に画像データＤを対応付けるようになっている。
【０１２４】
そして、コンソールＣは、プレビュー画像ｐ_preを所定時間表示する間に、プレビュー画像ｐ_preを見た撮影者が「ＮＧ」ボタンをクリックしなければ、図１５に示すように、フォーカスして表示するアイコンＩを例えばアイコンＩ３に遷移させるとともに、元のア
イコンＩ２に対応する撮影で放射線画像撮影装置１から送信されてきた画像データＤ等に基づく放射線画像ｐの生成処理を開始するようになっている。
【０１２５】
なお、プレビュー画像ｐ_preを見た撮影者が上記の所定時間の間に「ＮＧ」ボタンをクリックした場合には、撮影オーダ情報に対する画像データＤの対応付けを解除するとともに、間引きデータＤｔや画像データＤを抹消する。また、画像データＤ等に基づく放射線画像ｐの生成処理も行わない。
【０１２６】
コンソールＣは、後述するように、撮影に用いられた放射線画像撮影装置１に関する補正データ、すなわち前述したゲイン補正値Ｇ等の第２補正データα＊等を予め管理装置Ｓから入手している。また、前述したように、放射線画像撮影装置１からは撮影ごとにオフセットデータＯが送信されてくる。
【０１２７】
そのため、放射線画像ｐの生成処理では、コンソールＣは、それらに基づいて、オフセット補正やゲイン補正、欠陥画素補正、撮影部位に応じた諧調処理等の処理を行うようになっている。また、撮影の際に、放射線画像撮影装置１にグリッドを取り付けて撮影が行われている場合があるため、グリッドによるモアレ除去のためのフィルタリング処理をさらに行うようになっている。
【０１２８】
グリッドを用いた撮影を行う場合、グリッドピッチと放射線画像撮影装置１の画素サイズとの関係で、画像データＤにモアレを生じる場合がある。このモアレ対策として、例えば特開２０００−３１６１２６号公報に記載されているように、使用するグリッドを適正に選択すれば、モアレ発生を避けることができる。また、特開平８−８８７６５号公報に記載されているように、一旦、身近のグリッドを使用して撮影を行い、画像データＤ中に含まれるモアレ成分を、次工程でフィルタリング処理して除去することも知られている。
【０１２９】
放射線画像撮影装置１の場合、本実施形態で説明するように複数の撮影室Ｒａで使用されたり、後述する実施形態で説明するように回診先で使用されるので、使用するグリッド種を制限することは得策ではない。すなわち、ＣＲカセッテを用いて撮影を行っていた際に使用されていたグリッドをそのまま使用することが好ましい。また、撮影の都度、各撮影に使用したグリッドピッチ情報を読取り画像に対応付けて保存とすることも可能であるが、専用機型の放射線画像撮影装置の場合とは異なり、放射線画像撮影装置１の場合、グリッドピッチ情報を対応付けるには、大がかりな既存の撮影設備改造が必要になり、しかも、各撮影における放射線技師等の撮影者の操作も増えるため、現実的ではない。
【０１３０】
従って、使用するグリッドを限定せず、使用可能性のあるグリッドピッチに対応したモアレ除去フィルタを予め数種準備しておき、画像データＤに対して、予め準備しておいた全てのフィルタを順次適用することで、モアレのない放射線画像ｐを得る方法が、放射線画像撮影装置１にとっては好ましい。
【０１３１】
コンソールＣは、放射線画像ｐを生成すると、図１４に示したように、元のアイコンＩ２の位置に表示する。そして、放射線画像ｐを見た撮影者が、生成された放射線画像ｐが正常であると判断して「ＯＫ」ボタンをクリックすると、放射線画像ｐを確定させて、放射線画像ｐを撮影オーダ情報に対応付けるようになっている。
【０１３２】
本実施形態に係る放射線画像撮影システム５０では、以上のように、コンソールＣ（例えばコンソールＣ１）で、撮影に使用する撮影室Ｒａ（例えば撮影室Ｒａ１と撮影室Ｒａ２）を指定し、指定された撮影室Ｒａ（例えば撮影室Ｒａ１）に放射線画像撮影装置１が持ち込まれてクレードル５５に挿入されると、クレードル５５から放射線画像撮影装置１のカセッテＩＤ等がコンソールＣに送信される。
【０１３３】
そして、コンソールＣから管理装置Ｓに放射線画像撮影装置１のカセッテＩＤと撮影室Ｒａの識別情報を送信すると、管理装置Ｓで、当該放射線画像撮影装置１が撮影室Ｒａ内に存在することが管理されると同時に、当該放射線画像撮影装置１に関する第２補正データα＊等の情報が当該コンソールＣに送信される。
【０１３４】
そして、指定された撮影室Ｒａ（例えば撮影室Ｒａ１）で当該放射線画像撮影装置１を用いて行われた撮影で得られた画像データＤ等が中継器５４等を介して当該コンソールＣに送信されると、コンソールＣで、当該放射線画像撮影装置１に関する第２補正データα＊等の情報を用いて、画像データＤに対して補正処理及び諧調処理を含む画像処理が行われて、診断用の放射線画像ｐが生成されるようになっている。
【０１３５】
［代替用の放射線画像撮影装置の導入時の処理について］
次に、以上のような構成の放射線画像撮影システム５０に、代替用の放射線画像撮影装置１が導入された場合の処理について説明する。また、それとともに、本実施形態に係る放射線画像撮影システム５０の作用について説明する。
【０１３６】
前述したように、上記のようにして、放射線画像撮影システム５０に導入した放射線画像撮影装置１（以下、代替用の放射線画像撮影装置と区別するために放射線画像撮影装置１ａという。）が、導入後、故障する等して、放射線画像撮影装置１ａを工場等に持ち帰って修理する必要が生じる場合があり得る。
【０１３７】
このような場合には、この放射線画像撮影装置１ａの修理の間、別の放射線画像撮影装置１ｂが、元の放射線画像撮影装置１ａの代替用として提供されることが好ましい。そして、この代替用の放射線画像撮影装置１ｂに対しても、上記のように、各撮影室Ｒａ１〜Ｒａ３にそれぞれ持ち込んで放射線源５２から放射線を照射させて、各放射線源５２に対応する第２補正データをそれぞれ算出して設定する作業が非常に面倒な作業になることは前述した通りである。
【０１３８】
なお、以下、元の放射線画像撮影装置１ａの第１補正データαや第２補正データα＊に対して、代替用の放射線画像撮影装置１ｂの第１補正データや第２補正データを、第１補正データβ、第２補正データβ＊という。
【０１３９】
また、上記のように、例えばコンソールＣ１（図７参照）で撮影室Ｒａ１、Ｒａ２を指定すると、例えば現在撮影に使用されていない撮影室Ｒａ２で代替用の放射線画像撮影装置１ｂに対する第２補正データβ＊の算出、設定処理を行おうとしても、コンソールＣ１は撮影に使用中で使えず、また、コンソールＣ２には撮影室Ｒａ２内の代替用の放射線画像撮影装置１ｂから画像データＤ等を送信できないため、コンソールＣ２で算出、設定処理を行うことができないといった問題が発生することも前述した通りである。
【０１４０】
そこで、本実施形態では、クレードル５５や管理装置Ｓを用いることで、例えばコンソールＣ１で指定された撮影室Ｒａ２で代替用の放射線画像撮影装置１ｂに対して第２補正データβ＊の算出、設定処理を行うことができ、しかも、算出、設定処理を容易に行うことができるように構成されている。
【０１４１】
以下、それを可能とするためのいくつかのパターンについて説明する。
【０１４２】
［パターン１］
パターン１では、代替用の放射線画像撮影装置１ｂに対する第２補正データβ＊の算出、設定処理を、全てクレードル５５で行う場合について説明する。
【０１４３】
この場合、図１６に示すように、クレードル５５には、前述したように挿入口に挿入された放射線画像撮影装置１のコネクタ３９と接続されるコネクタ５５ａのほか、マイクロコンピュータやＦＰＧＡ等の専用基板等で構成され、図示しない記憶手段を備えた演算手段５５ｂが設けられている。演算手段５５ｂはコネクタ５５ａと接続されている。
【０１４４】
そして、このパターン１では、元の放射線画像撮影装置１ａを修理等のために工場等に持ち出す際に、或いはそれ以前に、クレードル５５にこの元の放射線画像撮影装置１ａを挿入して、クレードル５５の演算手段５５ｂの記憶手段に、当該元の放射線画像撮影装置１ａに関する第１補正データαや第２補正データα＊の情報を保存させておくようになっている。
【０１４５】
なお、このパターン１では、上記のように、クレードル５５の演算手段５５ｂの記憶手段に、元の放射線画像撮影装置１ａに関する第１補正データαや第２補正データα＊の情報のみを保存させておくように構成されているが、例えば、クレードル５５の記憶手段に、当該クレードル５５が設置された撮影室Ｒａに導入された（当該クレードルを介して登録操作が行なわれた）全ての放射線画像撮影装置１に関する第１補正データαや第２補正データα＊の情報を保存しておくように構成することも可能である。
【０１４６】
このように構成する場合、各放射線画像撮影装置１のメンテナンス時等に改めてゲイン補正値Ｇ等の第２補正データα＊が更新された場合には、クレードル５５の演算手段５５ｂの記憶手段に記憶された当該放射線画像撮影装置１の元の第２補正データα＊上に、更新された第２補正データα＊等が上書き保存される。なお、本実施形態のように、管理装置Ｓで各放射線画像撮影装置１に関する第１補正データαや第２補正データα＊の情報を管理する場合には、管理装置Ｓにも更新された当該放射線画像撮影装置１の第２補正データα＊等が送信されて上書き保存される。
【０１４７】
また、図１６に示すように、クレードル５５には、キーボード等の入力手段５５ｃが設けられており、入力手段５５ｃは演算手段５５ｂに接続されている。そして、入力手段５５ｃを介して演算手段５５ｂに、元の放射線画像撮影装置１ａの識別情報であるカセッテＩＤ等を入力することができるようになっている。
【０１４８】
そして、元の放射線画像撮影装置１ａの代替用として代替用の放射線画像撮影装置１ｂが導入された際には、クレードル５５では、以下のような処理が行われるようになっている。
【０１４９】
すなわち、代替用の放射線画像撮影装置１ｂがクレードル５５の挿入口に挿入されると、図１６に示すように、代替用の放射線画像撮影装置１ｂのコネクタ３９と、クレードル５５ａとが接続される。そして、その状態で、放射線技師等の撮影者により入力手段５５ｃから、代替用の放射線画像撮影装置１ｂで代替された元の放射線画像撮影装置１ａ（すなわち修理等で持ち去られた放射線画像撮影装置１ａ）の識別情報であるカセッテＩＤが入力される。
【０１５０】
すると、クレードル５５の演算手段５５ｂは、入力されたカセッテＩＤに基づいて、元の放射線画像撮影装置１ａに関する放射線検出素子７ごとの第１補正データα（すなわち元の放射線画像撮影装置１ａの工場出荷時の第１補正データ）と第２補正データα＊（すなわち元の放射線画像撮影装置１ａの導入時の第２補正データ或いはメンテナンス時等に更新された第２補正データ）とを、記憶手段から読み出す。
【０１５１】
また、演算手段５５ｂは、コネクタ５５ａ、３９を介して挿入された代替用の放射線画
像撮影装置１ｂから、当該代替用の放射線画像撮影装置１ｂに関する放射線検出素子７ごとの第１補正データβを読み取る。
【０１５２】
前述したように、第１補正データα、βは、工場出荷時に略平行光とされた所定の線量の放射線を放射線画像撮影装置の放射線入射面Ｒ（図１参照）に一様に照射して得られる画像データＤ（およびオフセットデータＯ）に基づいて、上記（１）式等に従って算出される最終的な画像データＤ＊が全ての放射線検出素子７で同じ値になるように、放射線検出素子７ごとに設定された補正データである。
【０１５３】
また、第２補正データα＊は、第１補正データαを、さらに、導入された撮影室Ｒａの放射線源５２の放射線の放射特性に従って、読み出された画像データＤ（およびオフセットデータＯ）に基づく最終的な画像データＤ＊が全ての放射線検出素子７で同じ値になるように、放射線検出素子７ごとに修正して設定した補正データである。
【０１５４】
これに基づけば、代替用の放射線画像撮影装置１ｂにおける第２補正データβ＊は、元の放射線画像撮影装置１ａにおいて第１補正データαを第２補正データα＊に変える際の割合と同じ割合で、第１補正データβから値を変更することで算出されるはずである。
【０１５５】
すなわち、第２補正データβ＊が、例えば上記（１）式中のゲイン補正値Ｇのように、画像データＤに対して乗算したり除算したりして適用する、いわば乗算系の補正データである場合には、下記（２）式に示すように、代替用の放射線画像撮影装置１ｂにおける第１補正データβと第２補正データβ＊との比が、元の放射線画像撮影装置１ａにおける第１補正データαと第２補正データα＊との比に等しくなるはずである。
β：β＊＝α：α＊    …（２）
【０１５６】
従って、第２補正データβ＊が乗算系の補正データである場合には、代替用の放射線画像撮影装置１ｂから読み取った第１補正データβと、記憶手段から読み出した元の放射線画像撮影装置１ａに関する第１補正データαおよび第２補正データα＊とに基づいて、
β＊＝β×α＊／α    …（３）
の演算を放射線検出素子７ごとに行うことで、代替用の放射線画像撮影装置１ｂにおける放射線検出素子７ごとの第２補正データβ＊を演算によって算出することが可能となる。
【０１５７】
また、例えば、上記の（１）式等の演算を行う際に、オフセットデータＯだけでなく、放射線画像撮影装置１に放射線を照射した放射線源５２の特性に基づいて、画像データＤ或いは画像データＤからオフセットデータＯを減算した値Ｄ−Ｏに、さらに所定のオフセット分Ｏ＊を加算したり減算したりして上記（１）式等の演算を行うように構成される場合がある。
【０１５８】
この場合、このオフセット分Ｏ＊も第２補正データβ＊の１種になる。そして、このオフセット分Ｏ＊は、画像データＤに対して加算したり減算したりして適用する、いわば加算系の補正データである。このように、第２補正データβ＊には、上記のゲイン補正値Ｇ等の乗算系の補正データのみならず、このオフセット分Ｏ＊のような加算系の補正データも含まれる。
【０１５９】
そして、この加算系の第２補正データβ＊の場合には、下記（４）式に示すように、代替用の放射線画像撮影装置１ｂにおける第１補正データβと第２補正データβ＊との差が、元の放射線画像撮影装置１ａにおける第１補正データαと第２補正データα＊との差に等しくなるはずである。
β＊−β＝α＊−α    …（４）
【０１６０】
従って、第２補正データβ＊が加算系の補正データである場合には、代替用の放射線画像撮影装置１ｂから読み取った第１補正データβと、記憶手段から読み出した元の放射線画像撮影装置１ａに関する第１補正データαおよび第２補正データα＊とに基づいて、
β＊＝β＋（α＊−α）    …（５）
の演算を放射線検出素子７ごとに行うことで、代替用の放射線画像撮影装置１ｂにおける放射線検出素子７ごとの第２補正データβ＊を演算によって算出することが可能となる。
【０１６１】
なお、代替用の放射線画像撮影装置１ｂに関して算出される第２補正データβ＊が乗算系の補正データであるか、加算系の補正データであるかを、各第２補正データβ＊について予め設定しておくことが必要である。
【０１６２】
このようにして、クレードル５５の演算手段５５ｂは、代替用の放射線画像撮影装置１ｂから読み取った第１補正データβと、記憶手段から読み出した元の放射線画像撮影装置１ａに関する第１補正データαおよび第２補正データα＊とに基づいて、上記（３）式或いは上記（５）式の演算を行って、代替用の放射線画像撮影装置１ｂにおける放射線検出素子７ごとの第２補正データβ＊を算出するようになっている。
【０１６３】
そして、クレードル５５の演算手段５５ｂは、算出した第２補正データβ＊を、当該代替用の放射線画像撮影装置１ｂに対して設定するようになっている。
【０１６４】
以上のように構成すれば、代替用の放射線画像撮影装置１ｂに対する第２補正データβ＊の算出、設定処理をクレードル５５で行うようになるため、算出、設定処理をコンソールＣで行う必要がなくなる。
【０１６５】
そのため、例えばコンソールＣ１（図７参照）で指定された撮影室Ｒａ２で代替用の放射線画像撮影装置１ｂに対する第２補正データβ＊の算出、設定処理を行う際に、コンソールＣ１が撮影室Ｒａ１の撮影で使用中であっても、クレードル５５で算出、設定処理を行うことができるため、コンソールＣ１が空くまで処理を行うことができなくなるといった問題が生じなくなる。
【０１６６】
また、放射線技師等は、代替用の放射線画像撮影装置１ｂに対して、撮影室Ｒａ２に設置された放射線源５２から放射線を照射させて画像データＤを読み出す等の作業を行わなくても、代替用の放射線画像撮影装置１ｂをクレードル５５に挿入して、元の放射線画像撮影装置１ａのカセッテＩＤを入力するだけで、代替用の放射線画像撮影装置１ｂに対して第２補正データβ＊が算出されて設定される。
【０１６７】
そのため、放射線技師等が代替用の放射線画像撮影装置１ｂに対する第２補正データβ＊の算出、設定処理を非常に容易に行うことが可能となり、放射線技師等にとって、本実施形態に係る放射線画像撮影システム５０が非常に使い勝手がよいものとなる。
【０１６８】
なお、前述したように、クレードル５５は各撮影室Ｒａにそれぞれ設けられている。そのため、下記のパターン２やパターン３においても同様であるが、ある撮影室Ｒａ内に設置されているクレードル５５では、代替用の放射線画像撮影装置１ｂに対して、当該撮影室Ｒａ内に設置されている放射線源５２（撮影室Ｒａ内に複数の放射線源５２が設置されている場合には当該撮影室Ｒａ内の全ての放射線源５２）についてのみ、放射線源５２に対応する第２補正データβ＊を算出して設定するように構成することが可能である。
【０１６９】
このように構成する場合、放射線技師等は、当該代替用の放射線画像撮影装置１ｂを、各撮影室Ｒａに持ち込んで、各撮影室Ｒａ内でクレードル５５に挿入して、それぞれ元の放射線画像撮影装置１ａのカセッテＩＤを入力するだけで、代替用の放射線画像撮影装置
１ｂに対する各放射線源５２に対応する第２補正データβ＊の設定処理を行うことができる。
【０１７０】
また、各撮影室Ｒａの各クレードル５５が、各放射線画像撮影装置１について、第１補正データαと、システム内の複数の放射線源５２（すなわち図７の場合には各撮影室Ｒａ１〜Ｒａ３に設置された全ての放射線５２）にそれぞれ対応する第２補正データβ＊を全ての放射線源５２について、それぞれ予め有しておくように構成することも可能である。
【０１７１】
このように構成すれば、放射線技師等が、代替用の放射線画像撮影装置１ｂを、例えば撮影室Ｒａ２のクレードル５５に挿入して元の放射線画像撮影装置１ａのカセッテＩＤを入力するだけで、撮影室Ｒａ２だけでなく各撮影室Ｒａ１〜Ｒａ３内に設置された全ての放射線源５２について、それらに対応する第２補正データβ＊を一度に設定することが可能となる。
【０１７２】
そのため、放射線技師等が代替用の放射線画像撮影装置１ｂに対する第２補正データβ＊の算出、設定処理を非常に容易に行うことが可能となり、放射線技師等にとって、本実施形態に係る放射線画像撮影システム５０が非常に使い勝手がよいものとなる。
【０１７３】
なお、この場合、全ての撮影室Ｒａ１〜Ｒａ３ではなく、当該代替用の放射線画像撮影装置１ｂを使用する撮影室Ｒａの範囲（例えば撮影室Ｒａ１、Ｒａ２のみ）を設定して、設定した撮影室Ｒａ内の各放射線源５２に対応する第２補正データβ＊のみを１つの撮影室Ｒａのクレードル５５で設定するように構成することも可能である。
【０１７４】
また、本実施形態のように、管理装置Ｓで各放射線画像撮影装置１に関する第１補正データαや第２補正データα＊を管理するように構成されている場合には、クレードル５５の演算手段５５ｂは、代替用の放射線画像撮影装置１ｂから読み取った第１補正データβと、算出した第２補正データβ＊とを、代替用の放射線画像撮影装置１ｂのカセッテＩＤとともに管理装置Ｓに送信して、管理装置Ｓに、代替用の放射線画像撮影装置１ｂに関する第１補正データβと第２補正データβ＊も管理させるように構成される。
【０１７５】
［パターン２］
上記のパターン１では、代替用の放射線画像撮影装置１ｂに対する第２補正データβ＊の算出、設定処理を、クレードル５５で全て行う場合について説明した。しかし、本実施形態のように、管理装置Ｓが、各放射線画像撮影装置１の第１補正データαや第２補正データα＊を管理している場合には、それらの情報をクレードル５５が保存、管理する必要はなく、管理装置Ｓから必要な情報を入手するように構成することが可能である。
【０１７６】
そこで、このパターン２では、クレードル５５は、元の放射線画像撮影装置１ａの代替用として代替用の放射線画像撮影装置１ｂが導入された際に、代替用の放射線画像撮影装置１ｂがクレードル５５に挿入されて、元の放射線画像撮影装置１ａのカセッテＩＤが入力されると、クレードル５５の演算手段５５ｂは、元の放射線画像撮影装置１ａのカセッテＩＤを管理装置Ｓに送信し、管理装置Ｓから元の放射線画像撮影装置１ａに関する第１補正データαと第２補正データα＊の情報を入手する。
【０１７７】
そして、代替用の放射線画像撮影装置１ｂから第１補正データβを読み取り、代替用の放射線画像撮影装置１ｂに関する第１補正データβと、元の放射線画像撮影装置１ａに関する第１補正データαおよび第２補正データα＊とを、上記（３）式や（５）式に代入して、代替用の放射線画像撮影装置１ｂにおける放射線検出素子７ごとの第２補正データβ＊を算出する。そして、クレードル５５の演算手段５５ｂは、算出した第２補正データβ＊を、当該代替用の放射線画像撮影装置１ｂに対して設定するようになっている。
【０１７８】
このように構成すれば、代替用の放射線画像撮影装置１ｂに対する第２補正データβ＊の算出、設定処理をクレードル５５で行うようになるため、算出、設定処理をコンソールＣで行う必要がなくなり、コンソールＣが空くまで処理を行うことができなくなるといった問題が生じなくなる。
【０１７９】
また、放射線技師等は、代替用の放射線画像撮影装置１ｂをクレードル５５に挿入して、元の放射線画像撮影装置１ａのカセッテＩＤを入力するだけで、代替用の放射線画像撮影装置１ｂに対して第２補正データβ＊が算出されて設定されるため、放射線技師等が代替用の放射線画像撮影装置１ｂに対する第２補正データβ＊の算出、設定処理を非常に容易に行うことが可能となり、放射線技師等にとって、本実施形態に係る放射線画像撮影システム５０が非常に使い勝手がよいものとなる。
【０１８０】
さらに、クレードル５５で、元の放射線画像撮影装置１ａに関する第１補正データαや第２補正データα＊を保存、管理する必要がなくなり、管理装置Ｓで一元的に管理するように構成することが可能となる。
【０１８１】
そのため、前述したパターン１の場合のように、元の放射線画像撮影装置１ａを修理等のために工場等に持ち出す前に、放射線技師等が、元の放射線画像撮影装置１ａをクレードル５５に挿入して、当該元の放射線画像撮影装置１ａに関する第１補正データαや第２補正データα＊をクレードル５５の記憶手段に保存させる作業が不要になるといったメリットもある。
【０１８２】
［パターン３］
上記のパターン１、２では、代替用の放射線画像撮影装置１ｂに対する第２補正データβ＊の算出処理を、クレードル５５が行う場合について説明した。しかし、この算出処理を、管理装置Ｓで行うように構成することも可能である。
【０１８３】
従って、この場合は、クレードル５５は、元の放射線画像撮影装置１ａの代わりとなる代替用の放射線画像撮影装置１ｂが挿入されると、代替用の放射線画像撮影装置１ｂから第１補正データβを読み取り、読み取った第１補正データβを、入力手段を介して入力された元の放射線画像撮影装置１ａの識別情報であるカセッテＩＤとともに管理装置に送信する。
【０１８４】
そして、管理装置Ｓは、送信されてきた元の放射線画像撮影装置１ａの識別情報に対応する元の放射線画像撮影装置１ａに関する第１補正データαおよび第２補正データα＊を記憶手段から読み出し、それらと、送信されてきた代替用の放射線画像撮影装置１ｂに関する第１補正データβとに基づいて、上記（３）式や（５）式の演算を行って、代替用の放射線画像撮影装置１ｂに関する第２補正データβ＊を算出する。
【０１８５】
そして、管理装置Ｓは、算出した代替用の放射線画像撮影装置１ｂに関する第２補正データβ＊を、クレードル５５が設置された撮影室Ｒａ（例えば撮影室Ｒａ２）に送信して、当該クレードル５５を介して、クレードル５５に挿入されている代替用の放射線画像撮影装置１ｂに対して、算出した第２補正データβ＊を設定するように構成される。
【０１８６】
このように構成すれば、代替用の放射線画像撮影装置１ｂに対する第２補正データβ＊の算出、設定処理を、代替用の放射線画像撮影装置１ｂがクレードル５５に挿入された状態で管理装置Ｓが行うようになるため、算出、設定処理をコンソールＣで行う必要がなくなり、コンソールＣが空くまで処理を行うことができなくなるといった問題が生じなくなる。
【０１８７】
また、放射線技師等は、代替用の放射線画像撮影装置１ｂをクレードル５５に挿入して、元の放射線画像撮影装置１ａのカセッテＩＤを入力するだけで、代替用の放射線画像撮影装置１ｂに対して第２補正データβ＊が算出されて設定されるため、放射線技師等が代替用の放射線画像撮影装置１ｂに対する第２補正データβ＊の算出、設定処理を非常に容易に行うことが可能となり、放射線技師等にとって、本実施形態に係る放射線画像撮影システム５０が非常に使い勝手がよいものとなる。
【０１８８】
さらに、クレードル５５で、元の放射線画像撮影装置１ａに関する第１補正データαや第２補正データα＊を保存、管理する必要がなくなり、管理装置Ｓで一元的に管理して、管理装置Ｓで第２補正データβ＊の算出処理をも行うことになる。
【０１８９】
そのため、前述したパターン１、２の場合のように、クレードル５５は、代替用の放射線画像撮影装置１ｂに関する第２補正データβ＊の算出処理を行う必要がなくなるため、クレードル５５に設けられる演算手段５５ｂにおける処理が非常に軽くなる。また、クレードル５５に演算手段５５を設けなくてもよくなる。
【０１９０】
また、クレードル５５が代替用の放射線画像撮影装置１ｂの第１補正データβや、元の放射線画像撮影装置１ａの第１補正データαおよび第２補正データα＊の情報を保持する必要がなくなるため、クレードル５５に記憶手段を設ける必要もなくなるといったメリットがある。
【０１９１】
以上のように、本実施形態に係る放射線画像撮影システム５０によれば、管理装置Ｓや撮影室Ｒａに設けられたクレードル５５で、代替用の放射線画像撮影装置１ｂの第１補正データβと、元の放射線画像撮影装置１ａの第１補正データαおよび第２補正データα＊とに基づいて、代替用の放射線画像撮影装置１ｂに関する、クレードル５５が設置されている撮影室Ｒａの放射線源５２に対応する第２補正データβ＊を算出して設定するように構成した。
【０１９２】
そのため、元の放射線画像撮影装置１ａの代わりに一時的に用いられる代替用の放射線画像撮影装置１ｂに対して、放射線技師等がわざわざ撮影室Ｒａの放射線源５２から放射線を照射する等して第２補正データβ＊を設定する必要がなくなり、代替用の放射線画像撮影装置１ｂをクレードル５５に挿入して、元の放射線画像撮影装置１ａの識別情報であるカセッテＩＤを入力するだけでよくなる。
【０１９３】
そして、クレードル５５や管理装置Ｓが、元の放射線画像撮影装置１ａにおける第１補正データαと第２補正データα＊との関係を、代替用の放射線画像撮影装置１ｂにおける第１補正データβと第２補正データβ＊との関係に適用して、代替用の放射線画像撮影装置１ｂに関する第２補正データβ＊を算出して設定するため、代替用の放射線画像撮影装置１ｂに対する第２補正データβ＊の設定を、非常に容易に行うことが可能となる。そのため、放射線画像撮影システム５０が放射線技師等にとって非常に使い勝手がよいものとなる。
【０１９４】
また、本実施形態に係る放射線画像撮影システム５０によれば、コンソールＣではなく、クレードル５５や管理装置Ｓが代替用の放射線画像撮影装置１ｂに対する第２補正データβ＊の設定を行うため、例えば、ある放射線技師等により、コンソールＣ１で撮影室Ｒａ１、Ｒａ２が指定されてコンソールＣ１と撮影室Ｒａ１、Ｒａ２とが対応付けられたような場合でも、例えば他の放射線技師は、撮影室Ｒａ２のクレードル５５に代替用の放射線画像撮影装置１ｂを挿入して代替用の放射線画像撮影装置１ｂに対する第２補正データβ＊の設定を行うことが可能となる。
【０１９５】
このように、本実施形態に係る放射線画像撮影システム５０では、コンソールＣが使用中であっても代替用の放射線画像撮影装置１ｂに対する第２補正データβ＊の設定作業を行うことが可能となり、放射線画像撮影システム５０が放射線技師等にとって非常に使い勝手がよいものとなる。
【０１９６】
なお、本発明が上記の実施形態や変形例に限定されず、適宜変更可能であることはいうまでもない。
【符号の説明】
【０１９７】
１  放射線画像撮影装置
１ａ  元の放射線画像撮影装置
１ｂ  代替用の放射線画像撮影装置
７  放射線検出素子
５０  放射線画像撮影システム
５２  放射線源
５５  クレードル
５５ｃ  入力手段
Ｃ、Ｃ１、Ｃ２  コンソール
Ｄ  画像データ
ｐ  放射線画像
Ｒａ、Ｒａ１〜Ｒａ３  撮影室
Ｓ  管理装置
α  元の放射線画像撮影装置に関する第１補正データ
α＊  元の放射線画像撮影装置に関する第２補正データ
β  代替用の放射線画像撮影装置に関する第１補正データ
β＊  代替用の放射線画像撮影装置に関する第１補正データ
【図１】
0005630250.tif 000002
【図２】
0005630250.tif 000003
【図３】
0005630250.tif 000004
【図４】
0005630250.tif 000005
【図５】
0005630250.tif 000006
【図６】
0005630250.tif 000007
【図７】
0005630250.tif 000008
【図８】
0005630250.tif 000009
【図９】
0005630250.tif 000010
【図１０】
0005630250.tif 000011
【図１１】
0005630250.tif 000012
【図１２】
0005630250.tif 000013
【図１３】
0005630250.tif 000014
【図１４】
0005630250.tif 000015
【図１５】
0005630250.tif 000016
【図１６】
0005630250.tif 000017